(57)【特許請求の範囲】
【請求項１】
便器に洗浄水を供給するタンク本体を備え、該タンク本体から洗浄水を第１水量で供給する第１洗浄状態と、該第１水量より少ない第２水量で供給する第２洗浄状態とに切り換えることができる便器用洗浄水タンク装置において、
上記タンク本体の底部に設けられた排水口を第１洗浄状態と第２洗浄状態とに対応して開閉する弁手段と、
上記弁手段の上方から垂下され、該弁手段を開閉するように上下動する連結部材と、
上記連結部材から水平方向に離れた位置でありかつ便器の正面側から操作可能に配置された操作手段と、
上記操作手段の操作により上記連結手段を上下動させて弁手段を開閉させるように該操作手段と連結手段とを連結するリンク手段と、
を備え、
上記操作手段は、回動操作可能な操作ハンドルであり、
上記リンク手段は、上記操作ハンドルと一体に回動する第１プーリと、
上記弁手段の垂直方向の上方に配置され軸を中心に回動するとともに該軸を中心にした回動で上記連結部材を介して上記弁手段を開閉させるプーリーレバーと、プーリーレバーと一体的に回動する第２プーリと、上記第１プーリと上記第２プーリとに掛け渡され上記第１プーリの回動により上記第２プーリを介して上記プーリーレバーを回動させる力を伝達する連結チェーンと、
を備えた便器用洗浄水タンク装置。
【請求項２】
便器に洗浄水を供給するタンク本体を備え、該タンク本体から洗浄水を第１水量で供給する第１洗浄状態と、該第１水量より少ない第２水量で供給する第２洗浄状態とに切り換えることができる便器用洗浄水タンク装置において、
上記タンク本体の底部に設けられた排水口を第１洗浄状態と第２洗浄状態とに対応して開閉する弁手段と、
上記弁手段の上方から垂下され、該弁手段を開閉するように上下動する連結部材と、
上記連結部材から水平方向に離れた位置でありかつ便器の正面側から操作可能に配置された操作手段と、
上記操作手段の操作により上記連結手段を上下動させて弁手段を開閉させるように該操作手段と連結手段とを連結するリンク手段と、
を備え、
上記操作手段は、回動操作可能な操作ハンドルであり、
上記リンク手段は、上記操作ハンドルと一体に回動する第１プーリと、上記弁手段の垂直方向の上方に配置され軸を中心に回動するとともに該軸を中心にした回動で連結部材を介して弁手段を開閉させるプーリーレバーと、プーリーレバーと一体的に回動する第２プーリ及び第３プーリと、第２プーリから第１プーリを経て第３プーリへと連結するとともに、第１プーリの回動により第２及び第３プーリを介して上記プーリーレバーを回動させる力を伝達する連結チェーンと、を有し、
上記連結チェーンは、その一端部を上記第２プーリに、その他端部を上記第３プーリにそれぞれ着脱自在に装着し、上記第２プーリから上記第１プーリを経て上記第３プーリへと張った状態で掛け渡され、第１プーリの回転により第２プーリまたは第３プーリを介してプーリーレバーを回動するように構成した便器用洗浄水タンク装置。
【請求項３】
請求項２に記載の便器用洗浄水タンク装置において、
上記連結チェーンは、玉体と、該玉体を連結するワイヤとから形成された玉鎖から構成され、
上記第１プーリは、第２及び第３プーリから離れた向きに玉体が当接するように玉体に配置されかつ第１プーリの回動により該玉鎖に駆動力を加える係止部を備えている便器用洗浄水タンク装置。
【請求項４】
便器に洗浄水を供給するタンク本体を備え、該タンク本体から洗浄水を第１水量で供給する第１洗浄状態と、該第１水量より少ない第２水量で供給する第２洗浄状態とに切り換えることができる便器用洗浄水タンク装置において、
上記タンク本体の底部に設けられた排水口を第１洗浄状態と第２洗浄状態とに対応して開閉する弁手段と、
上記弁手段の上方から垂下され、該弁手段を開閉するように上下動する連結部材と、
上記連結部材から水平方向に離れた位置でありかつ便器の正面側から操作可能に配置された操作手段と、
上記操作手段の操作により上記連結手段を上下動させて弁手段を開閉させるように該操作手段と連結手段とを連結するリンク手段と、
を備え、
上記リンク手段は、ほぼ平行に配設された第１および第２リンク棒と、第１および第２リンク棒を揺動可能に載置するための支持軸とを有し、第１および第２リンク棒の一端部に上記連結部材の上端をそれぞれ固定し、
上記操作手段は、
回動操作可能な操作ハンドルと、
該操作ハンドルの回転により回動するとともに上記第１リンク棒の他端部を回動自在に支持するハンドル軸と、
上記ハンドル軸に固定され該操作ハンドルの第１の方向の回転により、上記ハンドル軸を支点として該ハンドル軸から離れた上記第１リンク棒の部位を持ち上げることにより上記第１リンク棒を介して上記連結部材を引き上げる力を加える第１作動片部と、
上記ハンドル軸に固定され上記操作ハンドルの第１の方向と反対の第２の方向の回転により、上記支持軸を支点として第２リンク棒の他端部を押し下げることにより上記第２リンク棒を介して上記連結部材を引き上げる力を加える第２作動片部と、
を備えた便器用洗浄水タンク装置。
【請求項５】
便器に洗浄水を供給するタンク本体を備え、該タンク本体から洗浄水を第１水量で供給する第１洗浄状態と、該第１水量より少ない第２水量で供給する第２洗浄状態とに切り換えることができる便器用洗浄水タンク装置において、
上記タンク本体の底部に設けられた排水口を第１洗浄状態と第２洗浄状態とに対応して開閉する弁手段と、
上記弁手段の上方から垂下され、該弁手段を開閉するように上下動する連結部材と、
上記連結部材から水平方向に離れた位置でありかつ便器の正面側から操作可能に配置された操作手段と、
上記操作手段の操作により上記連結手段を上下動させて弁手段を開閉させるように該操作手段と連結手段とを連結するリンク手段と、
を備え、
上記操作手段は、上下方向へ操作が可能である第１及び第２操作レバーであり、
上記リンク手段は、
第１操作レバーに一端部で一体に形成されまたは連動し、他端部で上記連結部材に連結されたＬ字形の部材であり、第１操作レバーの上下方向への操作により連結部材を介して第１洗浄状態となるように弁手段を開閉する第１Ｌ字形リンク部材と、
第２操作レバーに一端部で一体に形成されまたは連動し、他端部で上記連結部材に連結されたＬ字形の部材であり、第２操作レバーの上下方向への操作により連結部材を介して第２洗浄状態となるように弁手段を開閉する第２Ｌ字形リンク部材と、
を備えた便器用洗浄水タンク装置。
【請求項６】
請求項１ないし請求項５のいずれかに記載の便器用洗浄水タンク装置において、
上記連結手段は、玉体と、該玉体を連結するワイヤとからなる玉鎖である便器用洗浄水タンク装置。
【発明の詳細な説明】
【０００１】
【発明の属する技術分野】
本発明は、便器用洗浄水タンク装置、特にタンク本体から便器に流す洗浄水の量を便器から排出する汚物の種類、すなわち、汚物が大便であるか、小便であるかに応じて選択的に大小２段階に変更することができる便器用洗浄水タンク装置に関する。
【０００２】
【従来の技術】
従来、この種の便器用洗浄水タンク装置は、小洗浄時に大洗浄時より排水量が少なくてよいことから、節水を目的として、洗浄水の水量を大洗浄と小洗浄とで選択できるようにしたものであり、たとえば、図３１に示すものが知られている。図３１は従来の便器用洗浄水タンク装置２００を示す断面図である。便器用洗浄水タンク装置２００は、タンク本体２０２の底部に設けた排水口２０４を開閉する弁装置２０６と、タンク本体２０２の側部に設けられ弁装置２０６を操作する操作ハンドル２０８とを備えている。
【０００３】
弁装置２０６は、排水口２０４のシート部２０４ａに着座しかつ連通孔２１０ａを有する下部弁体２１０と、この下部弁体２１０の連通孔２１０ａを開閉する上部弁体２１２とを備えている。下部弁体２１０及び上部弁体２１２は、同じ軸体２１４により回動自在に支持されており、それらの一端部を操作ハンドル２０８のスピンドル２０８ａに玉鎖２１６ａ，２１６ｂで連結し、操作ハンドル２０８の操作により玉鎖２１６ａ，２１６ｂで引き上げてそれらを選択的に開弁させている。そして、玉鎖２１６ａ，２１６ｂには、浮子２１８ａ，２１８ｂがそれぞれ取り付けられており、それらの浮子２１８ａ，２１８ｂの位置に水位が達したときに浮子２１８ａ，２１８ｂが浮力を少なくすることにより閉弁している。
【０００４】
【発明が解決しようとする課題】
ところで、上記弁装置２０６における操作ハンドル２０８は、タンク本体２０２の側面に取り付けられている。このため、大洗浄と小洗浄との切換操作の方向が分かり難いという問題があった。
【０００５】
また、近年、洗浄水タンクを収納棚に収納した構成や、便器と洗浄水タンクとの間に化粧用パネルを配置して洗浄水タンクを隠す構成があり、これにより意匠性を向上させている。こうした洗浄水タンクでは、操作ハンドルをタンク本体の側面に配置することができないために、化粧用パネルに取り付けている。
【０００６】
しかし、化粧用パネルに操作ハンドルを取り付けた場合において、洗浄水タンクの中央に操作ハンドルを取り付けると、便座や便蓋により操作ハンドルが隠れてしまい、使い勝手がよくないという問題があった。こうした場合に、操作ハンドルを洗浄水タンクの中央部から離れて設置したときに、大洗浄と小洗浄とを切り換える構成をとると、操作ハンドルにより弁装置の弁体が傾いて開閉されるために、大洗浄と小洗浄とを切り換えるような構成をとることができず、大洗浄だけの洗浄動作だけしか設けられていない。
【０００７】
本発明は、上記従来の技術の問題を解決するものであり、タンク本体の中央から離れた位置に操作ハンドルを備え、しかも簡単な構成により大洗浄と小洗浄とを切り換えることができる便器用洗浄水タンク装置を提供することを目的とする。
【０００８】
【課題を解決するための手段およびその作用・効果】
上記課題を解決するためになされた第１の発明は、
便器に洗浄水を供給するタンク本体を備え、該タンク本体から洗浄水を第１水量で供給する第１洗浄状態と、該第１水量より少ない第２水量で供給する第２洗浄状態とに切り換えることができる便器用洗浄水タンク装置において、
上記タンク本体の底部に設けられた排水口を第１洗浄状態と第２洗浄状態とに対応して開閉する弁手段と、
上記弁手段の上方から垂下され、該弁手段を開閉するように上下動する連結部材と、
上記連結部材から水平方向に離れた位置でありかつ便器の正面側から操作可能に配置された操作手段と、
上記操作手段の操作により上記連結手段を上下動させて弁手段を開閉させるように該操作手段と連結手段とを連結するリンク手段と、
を備えたことを特徴とする。
【０００９】
本発明にかかる便器用洗浄水タンク装置は、洗浄水の排水量を第１水量と第２水量とに選択的に設定可能である。すなわち、操作手段の操作により、リンク手段を介して連結手段を上下動させる。連結手段を上下動させると、弁手段によりタンク本体の底部に設けられた排水口が開閉される。弁手段は、排水口を第１洗浄状態と第２洗浄状態とに対応して開閉するから、第１水量または第２水量で洗浄水が供給される。本発明における操作手段は、連結部材から水平方向に離れた位置でありかつ便器の正面側から操作可能な位置に設けられている。このため、便器の真正面に操作手段を配置したときに生じる不都合な状態、例えば、便座や便蓋を開けたときに、操作手段が便座や便蓋により隠れて便座や便蓋を閉じてから操作するというような不都合な状態となることがなく、操作性に優れている。また、このような位置に配置された操作手段は、リンク手段を介して連結手段を弁手段に対して垂直方向での動作、つまり、連結手段を上下動させることにより弁手段を開閉する動作を行なうから、その構成を簡単にすることができるとともに、シール性も高い。
【００１０】
また、操作手段を配置する位置は、タンク本体に直接取り付ける構成のほか、連結部材から水平方向に離れた位置であり、かつ便器の正面側から操作可能であれば特に限定されず、便器とタンク本体との間にパネル部材を配設し、タンク本体を便器側から隠して意匠性を向上させた構成とした場合には、パネル部材から突設させてもよい。
【００１１】
上記連結手段の好適な態様としては、玉鎖のような弁手段を開閉させる引き上げ部材として構成することができる。また、弁手段としては、タンク本体の底部に設けた排水口を開閉する第１弁体と第２弁体とにより構成することができる。
【００１２】
また、操作手段及びリンク手段の好適な第１の態様として、
上記操作手段は、回動操作可能な操作ハンドルであり、
上記リンク手段は、上記操作ハンドルと一体に回動するレバーと、弁手段のほぼ上方に配置された軸を中心に回動するとともに該軸を中心にした回動により上記連結部材を介して弁手段を開閉するプーリーレバーと、上記レバーと上記プーリーレバーとを連結し該操作ハンドルの回動操作により上記プーリーレバーを軸を中心に回動させる連結棒と、
により構成することができる。
【００１３】
すなわち、操作ハンドルを回動操作すると、リンク手段を構成するレバーが一体的に回動し、さらに連結棒を介してプーリーレバーを回動させる。プーリーレバーには、連結部材が連結されており、プーリーレバーの回動により連結部材を介して弁手段を開閉させる。このように操作ハンドルを回動することにより得られた力をリンク手段を介して弁手段に対して垂直方向への力に変換して伝達することができる。
【００１４】
操作手段及びリンク手段の第２の好適な態様として、
操作手段は、回動操作可能な操作ハンドルであり、
リンク手段は、上記操作ハンドルと一体または連動して回動するとともに上記連結部材の端部に連結されたプーリーレバーと、上記連結部材を介して弁手段を開閉するように垂直方向から引き上げるようにガイドするガイド部材と、上記プーリーレバーは、上記操作ハンドルの回動操作により、上記連結部材を介して弁手段を選択的に第１洗浄状態と第２洗浄状態とに切り換えるように構成することができる。
【００１５】
第２の好適な態様では、操作ハンドルを回動操作すると、プーリーレバーが一体的に回動し、さらに連結部材を介して弁手段を開閉する。このとき、連結部材は、ガイド手段により、水平方向への移動が垂直方向へ変換されることにより弁手段を垂直方向からの移動により開閉するから、シール性を損なうことがない。
【００１６】
さらに、操作手段及びリンク手段の第３の好適な態様として、
上記操作手段は、回動操作可能な操作ハンドルであり、
上記リンク手段は、操作ハンドルと一体に回動する第１プーリと、
上記弁手段の垂直方向の上方に配置され、軸を中心に回動するとともに該軸を中心にした回動で上記連結部材を介して弁手段を開閉させるプーリーレバーと、プーリーレバーと一体的に回動する第２プーリと、上記第１プーリと第２プーリとに掛け渡され第１プーリの回動により第２プーリを介して上記プーリーレバーを回動させる力を伝達する連結チェーンと、
を備えて構成することができる。
【００１７】
第３の好適な態様では、操作ハンドルを回動操作すると、第１プーリが一体的に回動し、さらに連結チェーンを介して第２プーリが回動する。第２プーリの回動によりプーリーレバーも一体に回転する。プーリーレバーは、弁手段の垂直方向の上方に配置されており、軸を中心に回動するから、連結部材を介して弁手段を開閉する。このように操作ハンドルの回動により得られた力を連結チェーンを介して連結部材に伝達することができる。
【００１８】
操作手段及びリンク手段の第４の好適な態様として、
上記操作手段は、回動操作可能な操作ハンドルであり、
上記リンク手段は、上記操作ハンドルと一体に回動する第１プーリと、
上記弁手段の垂直方向の上方に配置され、軸を中心に回動するとともに該軸を中心にした回動で連結部材を介して弁手段を開閉させるプーリーレバーと、プーリーレバーと一体的に回動する第２プーリ及び第３プーリと、第２プーリから第１プーリを経て第３プーリへと連結するとともに、第１プーリの回動により第２及び第３プーリを介して上記プーリーレバーを回動させる力を伝達する連結チェーンと、
を備えて構成することができる。
【００１９】
第４の好適な態様では、操作ハンドル側とプーリーレバー側とを連結チェーンで連結する構成として、３つのプーリを用いている。この態様では、２のプーリの間に連結チェーンを掛け渡す場合に生じやすい連結チェーンの弛みを防止することができる。すなわち、連結チェーンを２つのプーリで支持した状態を改善し、３つのプーリに張った状態で固定することができるから、２つのプーリを用いた場合のように２つのプーリに掛け渡す際の連結チェーンの遊びをもたせる必要がない。
【００２０】
操作手段及びリンク手段の第５の好適な態様として、
上記連結チェーンは、玉体と、該玉体を連結するワイヤとから形成された玉鎖から構成され、
上記第１プーリは、第２及び第３プーリから離れた向きに玉体が当接するように玉体に配置されかつ第１プーリの回動により該玉鎖に駆動力を加える係止部を備えて構成することができる。
【００２１】
第５の好適な態様では、連結チェーンを、玉体をワイヤで連結した玉鎖を用いた場合において、第１プーリと玉鎖と係合する係止部が玉体に当たる際に玉鎖をずらすような急激な力を加えるのを防止するために、ワイヤの部分が第１プーリに巻き付いた状態にて係止部で玉鎖を押すように、係止部を第２プーリ及び第３プーリから離れた向きに玉体が当接するように傾斜した構成をとっている。
【００２２】
操作手段及びリンク手段の第６の好適な態様として、
上記操作手段は、回動操作可能な操作ハンドルであり、
上記リンク手段は、上記操作ハンドルの第１の方向と第１の方向と反対の第２の方向への回動により、上記連結部材を介して弁手段を第１洗浄状態と第２洗浄状態に開閉させるように揺動する第１及び第２リンク棒を備えて構成することができる。
【００２３】
第６の好適な態様では、操作ハンドルの回動操作力を第１及び第２リンク棒を用いて連結部材に力を伝達している。すなわち、操作ハンドルを第１の方向及びこれと反対の第２の方向に回動した場合に、第１リンク棒と第２リンク棒は連結部材に対してそれぞれ異なった揺動動作を行なうことにより、弁手段を第１洗浄状態と第２洗浄状態とに切り換える。
【００２４】
操作手段及びリンク手段の第７の好適な態様として、
上記操作手段は、上下方向へ操作が可能である第１及び第２操作レバーであり、
上記リンク手段は、
第１操作レバーに一端部で一体に形成されまたは連動し、他端部で上記連結部材に連結されたＬ字形の部材であり、第１操作レバーの上下方向への操作により連結部材を介して第１洗浄状態となるように弁手段を開閉する第１Ｌ字形リンク部材と、
第２操作レバーに一端部で一体に形成されまたは連動し、他端部で上記連結部材に連結されたＬ字形の部材であり、第２操作レバーの上下方向への操作により連結部材を介して第２洗浄状態となるように弁手段を開閉する第２Ｌ字形リンク部材と、
を備えて構成することができる。
【００２５】
第７の好適な態様では、操作手段を上下方向の操作する第１及び第２操作レバーで構成するとともに、この第１及び第２操作レバーの操作力を第１及び第２Ｌ字形リンク部材を介して連結部材に伝達する構成である。この構成では、操作手段が２つあり、それぞれが独立して連結部材に伝達する構成をとるから、その構成自体を簡単にできる。
【００２６】
【発明の実施の形態】
以上説明した本発明の構成・作用を一層明らかにするために、以下本発明の好適な実施例について説明する。
【００２７】
図１は本発明の一実施の形態にかかる洗浄水タンクを設置したトイレ室内を示す斜視図、図２は図１の２−２線に沿った断面図である。図１及び図２において、洋式便器１０は、ボール部１１を有する便器本体１２上に便座１３及び便蓋１４を備えており、トイレ室内のほぼ中央に設置されている。この洋式便器１０の後部であり、つまりトイレ室内の奥側には、トイレ用収納ボックス１５が設けられている。
【００２８】
トイレ用収納ボックス１５は、内部に洗浄水タンク２０（図２）や配管を配置するとともにトイレットペーパなどを収納するものであり、洋式便器１０の後部に立設配置された前面パネル１６と、前面パネル１６（パネル部材）の左右両側に配置された右キャビネット１７Ｒ及び左キャビネット１７Ｌと、手洗カウンタ１８とを備えている。
【００２９】
図３は洗浄水タンク２０を示す断面図である。図３において、洗浄水タンク２０は、洗浄水の排水量を第１水量（大用洗浄水量）と第２水量（小用洗浄水量）とに選択的に設定できるものである。洗浄水タンク２０は、下部に排水口２０ａを有するタンク本体２１と、排水口２０ａを開閉する弁装置３０と、大用玉鎖４０ａ及び小用玉鎖４０ｂを介して弁装置３０を開閉操作するための開弁操作器具４０とを備えている。上記排水口２０ａは、タンク底部２３のほぼ中央に形成されており、その下部に排水管１９が接続されている。この排水管１９は、便器のボール部１１（図１）に接続されている。また、排水口２０ａは、タンク底部２３から環状に突設されており、その上部周縁部が下部開口シート部２０ｂとなっている。
【００３０】
また、上記弁装置３０は、下部弁体３２と、上部弁体３４とを備えている。下部弁体３２は、排水口２０ａの下部開口シート部２０ｂに着座する弁であり、その内部に上記排水口２０ａに連通する連通孔３２ａと、連通孔３２ａの外周に環状に内設された浮力室３２ｂとを備えており、その外形形状が断面三角形になっている。上記連通孔３２ａの通路面積は、排水口２０ａの通路面積より浮力室３２ｂの水平断面積の分だけ小さくなっており、この差分だけ下部弁体３２は閉弁方向に大きな水圧を受けるようになっている。また、上部弁体３４は、下部弁体３２の連通孔３２ａを開閉する弁体である。
【００３１】
開弁操作器具４０の操作により、小用玉鎖４０ｂを引き上げると、上部弁体３４が開弁する。そして、小用玉鎖４０ｂに装着されている浮子４０ｃの水位Ｈ１にまで達すると上部弁体３４が閉じる。一方、大用玉鎖４０ａを引き上げると、下部弁体３２が開弁し、タンク本体２１のほぼ全容量を排出した後に閉じる。したがって、小用玉鎖４０ｂに装着されている浮子４０ｃの水位で決まる水量だけ小用洗浄が大用洗浄に比べて水量が少なくなり、節水となる。
【００３２】
図４はタンク本体２１の中央から左側にかけて配置された開弁操作器具４０を上方から見た図、図５はその正面から見た図、図６及び図７は小用洗浄状態及び大用洗浄状態を示す図である。開弁操作器具４０は、操作ハンドル４１と、リンク手段としてのリンク機構５０とを備えている。
【００３３】
操作ハンドル４１は、操作部４１ａと、ハンドル軸４１ｂとを備えており、スリーブ４２の嵌合孔４２ａに回転自在に支持されている。上記操作部４１ａは、洋式便器１０の中央から左側に所定距離離れた位置に、トイレ用収納ボックス１５の前面パネル１６から突出した状態にて装着されている。すなわち、前面パネル１６の貫通孔１６ａにスリーブ４２が貫通しかつナット４２ｂにより締結されることによりスリーブ４２が前面パネル１６に固定され、このスリーブ４２の嵌合孔４２ａに操作部４１ａと一体のハンドル軸４１ｂが回動可能に貫挿されている。
【００３４】
また、上記ハンドル軸４１ｂの先端部には、リンク機構５０の一部を構成するレバー５１の上端部が固定され、レバー５１の下端部には、連結棒５３の一端部が固定されている。すなわち、連結棒５３の一端部には、複数個（図では３個）の取付穴５３ａが形成されており、この取付穴５３ａとレバー５１の下端の取付穴５１ａとを位置合わせして螺子５３ｂを挿通することによりレバー５１と連結棒５３とが連結されている。
【００３５】
リンク機構５０は、タンク本体２１の上部の中央に位置するプーリーレバー５５と、このプーリーレバー５５を回転自在に支持する回動支持部５７とを備えている。プーリーレバー５５は、扇形のプーリー本体５５ａと、大用玉鎖４０ａを取り付けた大用取付部５６ａと、小用玉鎖４０ｂを取り付けた小用取付部５６ｂとを備えている。回動支持部５７は、固定具５７ａと、軸体５８とを備えている。固定具５７ａは、フランジ部５７ｂで前面パネル１６の裏面側に固定されており、その嵌合孔５７ｃに軸体５８を片持ち支持している。この軸体５８の他端部にピン５８ａを介してプーリーレバー５５が固定されている。プーリーレバー５５の下部には、取付穴５５ｂが形成されており、この取付穴５５ｂに上記連結棒５３の他端の取付穴５３ｃの１つが位置合わせされて、螺子５８ｂにより固定されている。したがって、リンク機構５０の構成により、連結棒５３により水平方向に押されたときに、プーリーレバー５５が軸体５８を中心に回動し、大用玉鎖４０ａまたは小用玉鎖４０ｂの一方を引き上げ、他方を引き下げることになる。
【００３６】
次に、開弁操作器具４０を操作した場合における洗浄動作について説明する。いま、図４及び図５の待機状態から、小用洗浄をするために、操作ハンドル４１を反時計方向に角度θｂだけ回動操作すれば、図６に示すようにハンドル軸４１ｂを介してレバー５１が同じ方向へ回動する。このレバー５１の回動により、連結棒５３が矢印ａ方向へ移動して、プーリーレバー５５が軸体５８を中心に反時計方向へ回動する。プーリーレバー５５の回動により、小用玉鎖４０ｂが引き上げられるとともに、大用玉鎖４０ａが下がる。これにより、小用玉鎖４０ｂの下端に取り付けられている弁装置３０の上部弁体３４が開いて、上述したような浮子４０ｃの水位で定まる水量だけ排出される。
【００３７】
一方、大用洗浄をするために、操作ハンドル４１を時計方向へ角度θａだけ回動すれば、図７に示すようにハンドル軸４１ｂを介してレバー５１が同じ方向に回動し、連結棒５３がプーリーレバー５５を時計方向へ回動させる。これにより、大用玉鎖４０ａが引き上げられるとともに、小用玉鎖４０ｂが下がり、大用玉鎖４０ａの下端に取り付けられている弁装置３０の下部弁体３２が開いて、ほぼタンク本体２１の全水量が排出される。
【００３８】
上記操作部４１ａは、大用玉鎖４０ａ、小用玉鎖４０ｂから水平方向に離れた位置であり、かつ便器本体１２の正面側から操作可能な位置に設けられている。このため、便器本体１２の真正面に操作部４１ａを配置したときに生じる不都合な状態、つまり便座１３や便蓋１４を開けたときに、操作部４１ａが便座１３や便蓋１４により隠れるというような不都合な状態となることがなく、操作性に優れている。また、このような位置に配置された操作部４１ａは、リンク機構５０を介して大用玉鎖４０ａ、小用玉鎖４０ｂを弁装置３０に対して垂直方向での動作で行なうから、弁装置３０に高いシール性を確保することも簡単な構成で行なうことができる。
【００３９】
しかも、タンク本体２１をトイレ用収納ボックス１５内に収容した場合のように、操作部４１ａをタンク本体２１の側壁でなく、便器本体１２の正面側にしか操作部４１ａを配置できない構成であっても、大用洗浄と小用洗浄との２つの洗浄状態を得ることができる。
【００４０】
図８は第２の実施の形態にかかる開弁操作器具６０を上方から見た図である。図８において、開弁操作器具６０は、操作ハンドル６１と、リンク機構７０とを備えている。操作ハンドル６１は、操作部６１ａと、この操作部６１ａに固定されたハンドル軸６１ｂとを備えている。このハンドル軸６１ｂは、スリーブ６２により回動自在に支持されている。ハンドル軸６１ｂの先端部には、リンク機構７０を構成するプーリーレバー７１が固定されている。プーリーレバー７１は、扇形のプーリー本体７１ａに大用取付部７２ａ及び小用取付部７２ｂを備えており、この大用取付部７２ａ及び小用取付部７２ｂにそれぞれ大用玉鎖４０ａ及び小用玉鎖４０ｂの一端部が固定されている。
【００４１】
また、リンク機構７０は、前面パネル１６に固定されたガイド手段としての支持軸本体７３を備えている。図９は支持軸本体７３を一部破断して示す図である。図９に示すように、支持軸本体７３は、一端部のフランジ部７３ａで前面パネル１６の裏面側に固定されて、タンク本体のほぼ中央上方に向けて突出している。支持軸本体７３の外周部には、ガイド部材７４が装着されている。このガイド部材７４は、大用ガイド溝７４ａ及び小用ガイド溝７４ｂが形成されており、大用ガイド溝７４ａ及び小用ガイド溝７４ｂに大用玉鎖４０ａ及び小用玉鎖４０ｂがそれぞれ掛け渡され、さらにその脱落を防止するためにガイドキャップ７４ｄが装着されている。すなわち、プーリーレバー７１に固定された大用玉鎖４０ａ及び小用玉鎖４０ｂは、水平方向に架設されるとともにタンク本体の中央に垂れ下がるようにガイド部材７４によりガイドされている。
【００４２】
次に、開弁操作器具６０を操作した場合における洗浄動作について説明する。図１０の待機状態から、小用洗浄をするために、操作ハンドル６１を反時計方向に回動操作すれば、図１１に示すようにハンドル軸６１ｂを介してプーリーレバー７１が同じ方向へ回動する。このプーリーレバー７１の回動により、小用玉鎖４０ｂが引っ張られ、大用玉鎖４０ａが弛められる。これにより、小用玉鎖４０ｂは連結軸本体７３にガイドされて上部弁体３４（図３）を上方から引き上げて開弁して小用洗浄が行なわれる。このとき、大用玉鎖４０ａは、プーリーレバー７１により弛められるから下部弁体３２が開かない。
【００４３】
一方、大用洗浄をするために、操作ハンドル６１を時計方向に回動操作すれば、図１２に示すようにハンドル軸６１ｂを介してプーリーレバー７１が同じ方向へ回動する。このプーリーレバー７１の回動により、大用玉鎖４０ａが引っ張られ、小用玉鎖４０ｂが弛められる。これにより、大用玉鎖４０ａは連結軸本体７３にガイドされて下部弁体（図３）を引き上げて大用洗浄が行なわれる。このとき、小用玉鎖４０ｂは、プーリーレバー７１により弛められるから上部弁体３４は開かない。
【００４４】
したがって、タンク本体の中央位置から離れた位置にある操作ハンドル６１の操作により、プーリーレバー７１を介して小用玉鎖４０ｂまたは大用玉鎖４０ａのいずれかを引っ張れば、支持軸本体７３によりその方向が水平方向から垂直方向へと変えられて、弁装置３０の開閉が行なわれる。このようにリンク機構７０を構成する手段として、大用玉鎖４０ａ及び小用玉鎖４０ｂを延長するだけでよいから、構成を簡単にすることができる。
【００４５】
図１３は第３の実施の形態にかかるタンク本体２１の上方に配置される開弁操作器具８０を示す図、図１４はその正面から見た図、図１５は操作ハンドル８１を示す断面図である。これらの図において、開弁操作器具８０は、操作ハンドル８１と、リンク機構８５とを備えている。上記操作ハンドル８１は、ハンドル軸８１ｂがスリーブ８２の嵌合孔８２ａに嵌挿されて回転自在に支持されており、その先端部に操作側プーリ８４が装着されている。この操作側プーリ８４には、玉体８６ａとワイヤ８６ｂとを繋いだ連結チェーン８６を掛け渡すためのガイド溝８４ａが形成されている。ガイド溝８４ａの上下２カ所には、連結チェーン８６の玉体８６ａを係止するための上係止部８４Ｕ及び下係止部８４Ｌが形成されている。この上係止部８４Ｕ及び下係止部８４Ｌには、連結チェーン８６のワイヤ８６ｂを通すための上ガイドスリット８４Ｕａ及び下ガイドスリット８４Ｌａがそれぞれ設けられている。
【００４６】
また、リンク機構８５は、操作ハンドル８１との間に連結チェーン８６を掛け渡すための連結転回機構９０を備えている。連結転回機構９０は、プーリーレバー９１と、プーリ９３とを備えており、プーリーレバー９１、プーリ９３は、前面パネル１６の裏面側から突設された軸体９４により回動自在に支持されている。上記プーリーレバー９１は、プーリー本体９１ａを備えており、このプーリー本体９１ａに大用取付部９２ａ及び小用取付部９２ｃが設けられ、それらに大用玉鎖４０ａ、小用玉鎖４０ｂの上端がそれぞれ固定されている。上記プーリ９３には、図１６に示すように、ガイド溝９３ａが形成され、このガイド溝９３ａに係止部９３ｂが設けられている。この係止部９３ｂには、ガイドスリット９３ｃが設けられており、このガイドスリット９３ｃに連結チェーン８６のワイヤ８６ｂが通り、係止部９３ｂで玉体８６ａが係止される。
【００４７】
次に、開弁操作器具８０を操作した場合における洗浄動作について説明する。小用洗浄をするために、操作ハンドル８１を図１７のように反時計方向へ回動すると、ハンドル軸８１ｂが回動し、これと一体に操作側プーリ８４も回動する。操作側プーリ８４の回動により、該操作側プーリ８４に掛けられている連結チェーン８６が操作側プーリ８４の上係止部８４Ｕに押される。連結チェーン８６は、連結転回機構９０のプーリ９３に掛け渡されるとともにプーリ９３の係止部９３ｂの部分で係合しているから、プーリ９３及び軸体９４を一体に回動させる。これにより軸体９４を中心にプーリレバー９１が反時計方向へ回動して小用玉鎖４０ｂを引き上げて、小用洗浄が行なわれる。
【００４８】
一方、大用洗浄を行なうために操作ハンドル８１を図１８のように時計方向へ回動すると、ハンドル軸８１ｂ及び操作側プーリ８４も一体となって同じ方向へ回動する。この操作側プーリ８４の回動により、操作側プーリ８４の下係止部８４Ｌに連結チェーン８６が押され、そして連結チェーン８６の力がプーリ９３側に伝達されてプーリ９３を回動させる。すなわち、連結チェーン８６は、プーリ９３の下係止部９６Ｌで係合して、プーリ９３を回動させる。そして、プーリ９３と一体に軸体９４も回動し、プーリーレバー９１が時計方向に回動する。これにより、大用チェーン９６ａが引き上げられて、大用洗浄が行なわれる。
【００４９】
この開弁操作器具８０によれば、操作ハンドル８１の回動操作力を連結転回機構９０側へ玉鎖からなる連結チェーン８６により伝達しているために、操作ハンドル８１と連結転回機構９０との距離との設置距離を変更する場合にも、連結チェーン８６の長さ調節だけでよいことから、種々の施工条件に対応させることができる。
【００５０】
次に、第３の実施の形態にかかる変形例について説明する。図１９は変形例にかかる連結転回機構９０Ａを上方から見た図である。図１９において、連結転回機構９０Ａは、軸体９４に上プーリ９３Ａと下プーリ９３Ｂとを固定している。上プーリ９３Ａ及び下プーリ９３Ｂには、連結チェーン８６Ａを掛け渡すための上ガイド溝９３Ａａ及び下ガイド溝９３Ｂａが形成されている。また、上ガイド溝９３Ａａには、図２０（Ｂ）に示すように、スリット９３Ａｂを有する係止部９３Ａｃが形成され、また、図２０（Ｃ）に示すように下ガイド溝９３Ｂａには、スリット９３Ｂｂを有する係止部９３Ｂｃが形成されている。
【００５１】
図２１は連結チェーン８６Ａを操作側プーリ８４と上プーリ９３Ａ及び下プーリ９３Ｂに掛け渡している状態を示す図である。図２１に示すように連結チェーン８６Ａは上プーリ９３Ａの一端部９３Ａｅで固定され、操作側プーリ８４に掛け渡して下プーリ９３Ｂの一端部９３Ｂｅで固定されており、操作側プーリ８４が回転すると、その回転力は上プーリ９３Ａまたは下プーリ９３Ｂを回動させ、さらにプーリレバー９１を回動させ、プーリレバー９１に固定されている大用玉鎖４０ａまたは小用玉鎖４０ｂを昇降させる。
【００５２】
このように３つのプーリを用いて連結チェーン８６Ａを掛け渡しているのは以下の理由による。すなわち、連結チェーン８６Ａを構成する玉鎖は、その長さを調節することにより操作側プーリ８４と上プーリ９３Ａと下プーリ９３Ｂとの長さを調節する。このとき、図１３の実施の形態のように２つのプーリの間に連結チェーン８６を掛け渡す場合には、連結チェーン８６の長さを合わせるときに弛みを生じた状態になりやすい。このような連結チェーン８６の弛みは、弁装置のシール性や開弁時期の調整に不具合を招くことがある。しかしながら、図１９の実施の形態では、図２１に示すように連結チェーン８６Ａを装着する作業を行ない、すなわち、操作側プーリ８４を回り止めした状態にて、上プーリ９３Ａの下端で連結チェーン８６Ａの一端を固定し、上プーリ９３Ａの上ガイド溝９３Ａａに巻き付けて、上ガイド溝９３Ａａの上側から導き出し、さらに操作側プーリ８４に巻き付け、その後、下プーリ９３Ｂの下ガイド溝９３Ｂａの下側から導き入れて、下プーリ９３Ｂの上部で固定する作業を行なう。これにより、連結チェーン８６Ａは、最後の下プーリ９３Ｂの一端部９３Ｂｅへ固定する部分で、張った状態でプーリへの装着作業を終えることができるから、弛みを生じない。
【００５３】
図２２は操作側プーリ８４の上係止部８４Ｕ及び下係止部８４Ｌの配置を示す図である。図２２に示すように上係止部８４Ｕ及び下係止部８４Ｌは、操作側プーリ８４の中心に対して１８０゜より広い角度αに配置されている。このような角度に上係止部８４Ｕ及び下係止部８４Ｌを配置したのは、以下の理由による。図２３に示すように、係止部Ｓｔｐは、下ガイドスリットＳｔｐ１の部分でワイヤを入れて、その端部で玉体ＢＬを押すが、１８０゜の角度に設けると、玉体ＢＬを上下させたりピッチずれさせたりする量が大きくなる。これに対して、図２４のように下係止部８４Ｌの角度を大きくすると、連結チェーン８６Ａが操作側プーリ８４にある程度巻き付いた状態となってから浅い角度で玉体８６ａに当たるからピッチずれが小さくすることができる。
【００５４】
図２５は第４の実施の形態にかかる開弁操作器具１００を示す図である。図２５において、開弁操作器具１００は、操作ハンドル１０１と、大用レバー１０３と、小用レバー１０４とを備えており、操作ハンドル１０１の時計方向または反時計方向のいずれかの方向への回動により、大用レバー１０３と小用レバー１０４とを選択的に揺動させる機構である。すなわち、操作ハンドル１０１は、操作部１０１ａと、この操作部１０１ａと一体に回動するハンドル軸１０２とを備えている。ハンドル軸１０２には大用作動片部１０５と小用作動片部１０６とが突設されている。図２６は大用作動片部１０５の要部を示す説明図である。大用作動片部１０５は、その先端部に係合凸辺部１０５ａが形成されており、この係合凸辺部１０５ａは、大用レバー１０３の一方の下端面を支持している。また、大用レバー１０３は、一端部がハンドル軸１０２を把持する把持部１０３ｂになっている。
【００５５】
一方、ハンドル軸１０２の先端の小用作動片部１０６は、小用レバー１０４の一端部を上面から押さえている。また、大用レバー１０３及び小用レバー１０４は、待機状態において、前面パネル１６の裏面側に固定された支持軸１１０上に載置されることにより支持されている。
【００５６】
この開弁操作器具１００による洗浄動作について説明する。開弁操作器具１００の待機状態から、操作ハンドル１０１の操作部１０１ａを時計方向へ回動操作すると、ハンドル軸１０２も一体になって同方向へ回動する。これにより、図２７に示すようにハンドル軸１０２に突設された小用作動片部１０６が小用レバー１０４の一端部を下方へ押す。小用レバー１０４は、支持軸１１０に載置支持されているために、支持軸１１０を支点とし、小用作動片部１０６で押される部分を力点として揺動し、他端部が引き上げられ、これにより小用玉鎖４０ｂが引き上げられて小用洗浄が行なわれる。
【００５７】
一方、操作ハンドル１０１の操作部１０１ａを反時計方向へ回動操作すると、ハンドル軸１０２及び大用作動片部１０５も一体になって回動する。そして、図２６に示すように大用作動片部１０５の係合凸辺部１０５ａは、大用レバー１０３を持ち上げて支持軸１１０から引き離す方向へ力を加える。このとき、大用レバー１０３は、把持部１０３ｂを介してハンドル軸１０２に回動可能に支持されているから、該把持部１０３ｂを中心に回動し、他端部に吊り下げられた大用玉鎖４０ａを引き上げる。
【００５８】
このように、弁装置を開閉操作する位置から水平方向に異なった位置に配置された操作ハンドル１０１の操作により、大用洗浄と小用洗浄とを切り換えることができる。
【００５９】
図２８は第５の実施の形態にかかる開弁操作器具１２０を示す斜視図である。図２８において、開弁操作器具１２０は、大用Ｌ字形リンク部材１２１と、小用Ｌ字形リンク部材１２２とを備えている。大用Ｌ字形リンク部材１２１は、Ｌ字形の部材であり、その一端部が前面パネル１６から突出した大用操作レバー１２１ａになり、他端部が大用玉鎖４０ａの上端を吊り下げている。同様に、小用Ｌ字形リンク部材１２２は、大用Ｌ字形リンク部材１２１と同様な形状であるが、わずかに小さいＬ字形の部材であり、その一端部が前面パネル１６から突出した小用操作レバー１２２ａになり、他端部が小用玉鎖４０ｂの上端をつり下げている。この大用Ｌ字形リンク部材１２１及び小用Ｌ字形リンク部材１２２は、支持棒１２３により回動自在に支持されている。すなわち、支持棒１２３は、前面パネル１６の裏面側に一端部で固定され、大用Ｌ字形リンク部材１２１の横レバー部１２１ｂと小用Ｌ字形リンク部材１２２の横レバー部１２２ｂを貫通し、大用Ｌ字形リンク部材１２１及び小用Ｌ字形リンク部材１２２をそれぞれ独立して回動自在に支持している。
【００６０】
この開弁操作器具１２０の構成において、図２９に示すように、小用Ｌ字形リンク部材１２２の小用操作レバー１２２ａを下方に押し下げれば、支持棒１２３を中心に横レバー部１２２ｂが反時計方向へ傾き、その一端部で小用玉鎖４０ｂを引き上げ、小用洗浄が行なわれる。一方、図３０に示すように大用Ｌ字形リンク部材１２１の大用操作レバー１２１ａを下方に押し下げれば、支持棒１２３を中心に横レバー部１２１ｂが傾き、その一端部で大用玉鎖４０ａを引き上げ、大用洗浄が行なわれる。このように、大用Ｌ字形リンク部材１２１と小用Ｌ字形リンク部材１２２の２つの操作部を独立して操作することにより、２の洗浄動作を選択的に使用することができる。
【００６１】
この開弁操作器具１２０によれば、大用操作レバー１２１ａ及び小用操作レバー１２２ａの上下方向への操作力により操作することができ、しかも操作部分が２つに分かれているために操作がわかりやすく、さらにそれぞれが独立して大用玉鎖４０ａ、小用玉鎖４０ｂに力を伝達する構成をとるから、その構成自体を簡単にできる。
【００６２】
なお、この発明は上記実施例に限られるものではなく、その要旨を逸脱しない範囲において種々の態様において実施することが可能であり、例えば次のような変形も可能である。
【００６３】
（１）  上記実施の形態では、弁手段として下部弁体３２及び上部弁体３４を重ねた弁装置３０を用いたが、これに限らず玉鎖などの連結部材で上方からの力で開閉できる手段であれば、浮子を下部弁体などにも装着した手段であってもよく、その構成は特に限定されない。。
【００６４】
（２）  操作ハンドルや操作レバーなどの操作手段は、便器の正面から操作可能でありかつ連結チェーンなどの連結部材から水平方向に離れた位置に配置してあり、しかも第１洗浄状態と第２洗浄状態とで異なった操作を行なうことができる構成であれば特に限定されない。例えば、操作ハンドルを回転操作する場合には、小用洗浄と大用洗浄とで、時計方向または反時計方向のいずれの操作方向を選択してもよく、また、操作ハンドルを上下操作する場合には、その配置を適宜変更してもよい。さらに、回転操作する操作ハンドルと上下操作する操作レバーとを組み合わせて小用洗浄と大用洗浄とを選択的に行なわせる構成としてもよく、例えば、大用洗浄を行なうのに回転操作する操作ハンドルを採用し、小用洗浄を行なうのに上下操作する操作レバーを採用したり、またその逆の組み合わせであってもよい。
【図面の簡単な説明】
【図１】本発明の一実施の形態にかかる洗浄水タンクを設置したトイレ室内を示す斜視図である。
【図２】図１の２−２線に沿った断面図である。
【図３】洗浄水タンク２０を示す断面図である。
【図４】タンク本体２１の中央から左側にかけて配置された開弁操作器具４０を上方から見た図である。
【図５】開弁操作器具４０を正面から見た待機状態の図である。
【図６】図５の待機状態から小用洗浄へと操作した状態を示す説明図である。
【図７】図５の待機状態から大用洗浄へと操作した状態を示す説明図である。
【図８】第２の実施の形態にかかる開弁操作器具６０を上方から見た待機状態を示す図である。
【図９】支持軸本体７３を一部破断して示す図である。
【図１０】開弁操作器具６０を正面から見た待機状態を示す図である。
【図１１】図１０の待機状態から小用洗浄へと操作した状態を示す説明図である。
【図１２】図１０の待機状態から大用洗浄へと操作した状態を示す説明図である。
【図１３】第３の実施の形態にかかるタンク本体２１の上方に配置される開弁操作器具８０を示す図である。
【図１４】開弁操作器具８０を正面から見た待機状態を示す図である。
【図１５】操作ハンドル８１を示す断面図である。
【図１６】プーリ９３を示す側面図である。
【図１７】図１４の待機状態から小用洗浄へと操作した状態を示す説明図である。
【図１８】図１４の待機状態から大用洗浄へと操作した状態を示す説明図である。
【図１９】第３の実施の形態に係る変形例である連結転回機構９０Ａを上方から見た図である。
【図２０】操作側プーリ８４、上プーリ９３Ａ、下プーリ９３Ｂを示す側面図である。
【図２１】連結チェーン８６Ａを操作側プーリ８４と上プーリ９３Ａ及び下プーリ９３Ｂに掛け渡している状態を示す図である。
【図２２】操作側プーリ８４の上係止部８４Ｕ及び下係止部８４Ｌの配置を示す図である。
【図２３】プーリの係止部の作用を説明する説明図である。
【図２４】操作側プーリ８４の下係止部８４Ｌの作用を説明する説明図である。
【図２５】第４の実施の形態にかかる開弁操作器具１００を示す図である。
【図２６】大用作動片部１０５の要部を示す説明図である。
【図２７】小用洗浄における動作を説明する説明図である。
【図２８】第５の実施の形態にかかる開弁操作器具１２０を示す斜視図である。
【図２９】開弁操作器具１２０の小用洗浄における動作を説明する説明図である。
【図３０】開弁操作器具１２０の大用洗浄における動作を説明する説明図である。
【図３１】従来の便器用洗浄水タンク装置２００を示す断面図である。
【符号の説明】
１０…洋式便器
１１…ボール部
１２…便器本体
１３…便座
１４…便蓋
１５…トイレ用収納ボックス
１６…前面パネル
１６ａ…貫通孔
１７Ｒ…右キャビネット
１７Ｌ…左キャビネット
１８…手洗カウンタ
１９…排水管
２０…洗浄水タンク
２０ａ…排水口
２０ｂ…下部開口シート部
２１…タンク本体
２３…タンク底部
３０…弁装置
３２…下部弁体
３２ａ…連通孔
３２ｂ…浮力室
３４…上部弁体
４０ａ…大用玉鎖
４０ｂ…小用玉鎖
４０…開弁操作器具
４０ｃ…浮子
４１…操作ハンドル
４１ａ…操作部
４１ｂ…ハンドル軸
４２…スリーブ
４２ａ…嵌合孔
４２ｂ…ナット
５０…リンク機構
５１…レバー
５１ａ…取付穴
５３…連結棒
５３ａ…取付穴
５３ｂ…螺子
５３ｃ…取付穴
５５…プーリーレバー
５５ａ…プーリー本体
５５ｂ…取付穴
５６ａ…大用取付部
５６ｂ…小用取付部
５７…回動支持部
５７ａ…固定具
５７ｂ…フランジ部
５７ｃ…嵌合孔
５８…軸体
５８ａ…ピン
５８ｂ…螺子
６０…開弁操作器具
６１…操作ハンドル
６１ａ…操作部
６１ｂ…ハンドル軸
６２…スリーブ
７０…リンク機構
７１…プーリーレバー
７１ａ…プーリー本体
７２ａ…大用取付部
７２ｂ…小用取付部
７３…支持軸本体
７３ａ…フランジ部
７３…連結軸本体
７４…ガイド部材
７４ａ…大用ガイド溝
７４ｂ…小用ガイド溝
７４ｄ…ガイドキャップ
８０…開弁操作器具
８１…操作ハンドル
８１ｂ…ハンドル軸
８２…スリーブ
８２ａ…嵌合孔
８４…操作側プーリ
８４ａ…ガイド溝
８４Ｕ…上係止部
８４Ｌ…下係止部
８４Ｕａ…上ガイドスリット
８４Ｌａ…下ガイドスリット
８５…リンク機構
８６ａ…玉体
８６ｂ…ワイヤ
８６…連結チェーン
８６Ａ…連結チェーン
９０…連結転回機構
９０Ａ…連結転回機構
９１…プーリーレバー
９１ａ…プーリー本体
９１…プーリレバー
９２ａ…大用取付部
９２ｃ…小用取付部
９３…プーリ
９３ａ…ガイド溝
９３ｂ…係止部
９３ｃ…ガイドスリット
９３Ａ…上プーリ
９３Ｂ…下プーリ
９３Ａａ…上ガイド溝
９３Ｂａ…下ガイド溝
９３Ａｂ…スリット
９３Ａｃ…係止部
９３Ｂｂ…スリット
９３Ｂｃ…係止部
９４…軸体
９６Ｌ…下係止部
９６ａ…大用チェーン
１００…開弁操作器具
１０１…操作ハンドル
１０１ａ…操作部
１０２…ハンドル軸
１０３…大用レバー
１０３ｂ…把持部
１０４…小用レバー
１０５…大用作動片部
１０５ａ…係合凸辺部
１０６…小用作動片部
１１０…支持軸
１２０…開弁操作器具
１２１…大用Ｌ字形リンク部材１２１
１２２…小用Ｌ字形リンク部材１２２
１２１ａ…大用操作レバー
１２１ｂ…横レバー部
１２２ａ…小用操作レバー
１２２ｂ…横レバー部
１２３…支持棒
【図１】
0003612957.tif 000002
【図２】
0003612957.tif 000003
【図３】
0003612957.tif 000004
【図４】
0003612957.tif 000005
【図５】
0003612957.tif 000006
【図６】
0003612957.tif 000007
【図７】
0003612957.tif 000008
【図８】
0003612957.tif 000009
【図９】
0003612957.tif 000010
【図１０】
0003612957.tif 000011
【図１１】
0003612957.tif 000012
【図１２】
0003612957.tif 000013
【図１３】
0003612957.tif 000014
【図１４】
0003612957.tif 000015
【図１５】
0003612957.tif 000016
【図１６】
0003612957.tif 000017
【図１９】
0003612957.tif 000018
【図１７】
0003612957.tif 000019
【図１８】
0003612957.tif 000020
【図２０】
0003612957.tif 000021
【図２１】
0003612957.tif 000022
【図２２】
0003612957.tif 000023
【図２３】
0003612957.tif 000024
【図２４】
0003612957.tif 000025
【図２５】
0003612957.tif 000026
【図２６】
0003612957.tif 000027
【図２７】
0003612957.tif 000028
【図２８】
0003612957.tif 000029
【図２９】
0003612957.tif 000030
【図３０】
0003612957.tif 000031
【図３１】
0003612957.tif 000032